(57)【要約】【課題】ファクシミリ通信にて送受信した画像データを所定の宛先に転送する通信装置において、ユーザが必要としない転送処理が行われて転送先装置のメモリが消費されるのを防止すると共に、転送処理にかかる通信料金を低減することができる通信装置を提供すること。【解決手段】本発明の通信装置１は、ファクシミリ通信にて送受信した画像データを画像データ保存装置２０に転送する通信装置１において、前記画像データを画像データ保存装置２０に転送するか否かを送受信別に設定した転送設定情報１９を記憶するＲＡＭ１１と、記憶されている転送設定情報１９の変更を受付けて変更する設定変更手段２と、記憶されている転送設定情報１９に基づいて画像データを画像データ保存装置２０に転送する転送手段と、を備える。【選択図】      図１
2005184721.tif 000002
【特許請求の範囲】
【請求項１】
ファクシミリ通信にて送受信した画像データを所定の宛先に転送する通信装置において、前記画像データを前記所定の宛先に転送するか否かを送受信別に設定した転送設定情報を記憶する記憶手段と、記憶されている転送設定情報の変更を受付けて変更する設定変更手段と、記憶されている転送設定情報に基づいて画像データを前記所定の宛先に転送する転送手段と、を備えることを特徴とする通信装置。
【請求項２】
前記転送設定情報が、送信した画像データを前記所定の宛先に転送すべき設定であるときに画像データを同報送信した場合、当該同報送信についての通信に関する情報を同報先毎に示す同報先一覧の画像データを作成する同報先一覧画像作成手段を備え、前記転送手段は、前記同報送信した画像データと共に作成された同報先一覧の画像データを前記所定の宛先に転送することを特徴とする請求項１記載の通信装置。
【請求項３】
前記転送設定情報が、受信した画像データを前記所定の宛先に転送すべき設定であるときに画像データを受信した場合、前記転送手段は、前記受信した画像データを前記所定の宛先に転送する画像データのヘッダ部に転送時刻及び通信番号を記載して前記所定の宛先に転送することを特徴とする請求項１記載の通信装置。
【発明の詳細な説明】
【技術分野】
【０００１】
本発明は、通信装置に関し、詳しくはファクシミリ通信にて送受信した画像データを所定の宛先に転送する通信装置に関するものである。
【背景技術】
【０００２】
ファクシミリ通信にて送受信した画像データを所定の画像データ保存装置に転送する機能を備えた通信装置には、画像データ保存装置に転送する送受信済画像データに送信順を示す送信管理番号又は受信順を示す受信管理番号を付加するものがある（例えば、特許文献１参照。）。したがって、ユーザは送信管理番号又は受信管理番号を参照することにより画像データ保存装置に転送された複数の画像データの中から所望の画像データを容易に探し出すことができる。
【特許文献１】特開２００３−３２４１２号公報
【発明の開示】
【発明が解決しようとする課題】
【０００３】
しかしながら、送信及び受信画像データのうち一方のみを画像データ保存装置に転送することができる通信装置は未だ開発されていない。そのため、送信画像データ又は受信画像データのいずれか一方を保存すればよいというユーザにとっては無駄な画像が画像データ保存装置に保存されることとなり、該装置の記憶資源が不必要なデータにより消費され、また通信料金が高くなるという問題があった。
【０００４】
本発明は、かかる課題に鑑みてなされたものであり、ファクシミリ通信にて送受信した画像データを所定の宛先に転送する通信装置において、ユーザが必要としない転送処理が行われて転送先装置のメモリが消費されるのを防止すると共に、転送処理にかかる通信料金を低減することができる通信装置を提供することを目的とする。
【課題を解決するための手段】
【０００５】
上記目的を達成するために、請求項１記載の通信装置は、ファクシミリ通信にて送受信した画像データを所定の宛先に転送する通信装置において、前記画像データを前記所定の宛先に転送するか否かを送受信別に設定した転送設定情報を記憶する記憶手段と、記憶されている転送設定情報の変更を受付けて変更する設定変更手段と、記憶されている転送設定情報に基づいて画像データを前記所定の宛先に転送する転送手段と、を備えることを特徴としている。
【０００６】
請求項２記載の通信装置は、請求項１に記載の通信装置において、前記転送設定情報が、送信した画像データを前記所定の宛先に転送すべき設定であるときに画像データを同報送信した場合、当該同報送信についての通信に関する情報を同報先毎に示す同報先一覧の画像データを作成する同報先一覧画像作成手段を備え、前記転送手段は、前記同報送信した画像データと共に作成された同報先一覧の画像データを前記所定の宛先に転送することを特徴としている。
【０００７】
請求項３記載の通信装置は、請求項１に記載の通信装置において、前記転送設定情報が、受信した画像データを前記所定の宛先に転送すべき設定であるときに画像データを受信した場合、前記転送手段は、前記受信した画像データを前記所定の宛先に転送する画像データのヘッダ部に転送時刻及び通信番号を記載して前記所定の宛先に転送することを特徴としている。
【発明の効果】
【０００８】
請求項１に記載の通信装置によれば、ファクシミリ通信によて送受信した画像データを所定の宛先に転送するか否かを、「送信原稿のみ」、「受信原稿のみ」、又は「送受信原稿両方」のようにユーザが送受信別に設定した転送設定情報に基づいて画像データの転送処理を行うことができる。したがって、例えばユーザが「受信原稿のみ」に対応する転送設定情報を設定することにより、通信装置は受信した画像データのみを所定の宛先に転送するので、送受信した画像データを全て転送する場合に比べ、転送先装置のメモリを無駄に消費したり通信料金が高くなるのを防止することができる。
【０００９】
請求項２に記載の通信装置によれば、請求項１に記載の通信装置の効果に加えて、複数の装置に同報送信した画像データを設定により所定の宛先に転送する場合に、同報送信についての通信に関する情報を同報先毎に示す同報先一覧の画像データを添付して転送するので、ユーザは、例えば同報先一覧の画像データの画像を転送先装置が備えるモニタに表示させることにより、同報先毎の通信に関する情報を容易に確認することができる。
【００１０】
請求項３に記載の通信装置によれば、請求項１に記載の通信装置の効果に加えて、通信装置はファクシミリ通信にて受信した画像データを所定の宛先に転送する際に、その画像データのヘッダ部に転送時刻及び通信番号を記載して転送するので、転送された原稿から通信管理ジャーナルを容易に参照することができる。
【発明を実施するための最良の形態】
【００１１】
以下、本発明の実施の形態に係る通信装置について、図面に基づき説明する。この通信装置１は、図１に示すように制御部（ＭＰＵ：Microprocessing Unit）２、ＲＯＭ（Read Only Memory）３、原稿読取部４、コーデック（ＣＯＤＥＣ：Coder and Decoder）５、画像メモリ６、操作部７、表示部８、通信部９、記録部１０、及びＲＡＭ（Random Access Memory）１１を備えたものであって、各部２乃至１１は、バス１２によって通信可能に接続されている。
【００１２】
制御部２は、ＲＯＭ３に格納されている制御プログラムに従って、この通信装置１を構成する各部を制御する。ＲＯＭ３は、前記制御プログラムを格納している。このＲＯＭ３に格納されている制御プログラムとしては、操作部７からファクシミリ送信開始命令が入力された場合に、原稿の画像データを読取って指定された宛先にファクシミリ送信する処理を制御部２に実行させるための送信処理プログラムや、設定によりファクシミリ送受信した画像データを所定の宛先に転送する転送処理プログラム等がある。
【００１３】
原稿読取部４は、原稿の画像データを読取るものであり、カラー原稿の画像データを読み取ることができる機構を備えたものである。この原稿読取部４は、図示しないが、ＣＣＤ（Charge Coupled Device）等のイメージセンサや光源等の光学系、フラットベッドスキャナ（ＦＢＳ：Flat Bed Scanner）や原稿自動供給装置（ＡＤＦ：Automatic Document Feeder）等の原稿供給機構等を有して構成されている。
【００１４】
コーデック５は、ファクシミリ送受信のために画像データの符号化及び復号を行うものであり、原稿読取部４で読取られた原稿の画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、ファクシミリ受信した画像データを用紙に記録するために復号する。
【００１５】
画像メモリ６は、原稿読取部４から出力された原稿の画像データ、コーデック５によって符号化された原稿の画像データ、外部の装置（不図示）にファクシミリ送信した送信した画像データ、及び外部の装置からファクシミリ受信した画像データを格納する。
【００１６】
操作部７は、図示しないが原稿読取部４に原稿の読取開始を指示するためのスタートキー、ファクシミリ番号やコピー部数等を入力するためのテンキー、各種設定を行うためのカーソルキーなど、表示部８と連動した各種操作キーを備えている。なお、後述するが、制御部２は、ＲＡＭ１１の転送設定情報１９を変更するための所定操作がこの操作部７において行われた場合に、その記憶されている転送設定情報１９の変更を受付けて変更する設定変更手段として機能する。表示部８は、各種の設定状態や通信装置１の動作状態などを文字や図形などで表示する液晶表示装置（ＬＣＤ：Liquid Crystal Display）１３や、点灯又は消灯で表示するＬＥＤランプ１４などを備えている。
【００１７】
通信部９は、モデム１５及びＮＣＵ（Network Control Unit）１６を備えている。モデム１５は、例えばＩＴＵ−Ｔ（国際電気通信連合電気通信標準化部門）の勧告Ｖ．３４規格又はこれと同様のものに従った送受信データの変調及び復調を行うものである。ＮＣＵ１６は、電話回線を制御して電話をかけたり、切ったりする回線網制御装置であり、ＰＳＴＮ（Public Switched Telephone Network）１７に接続されている。
【００１８】
記録部１０は、原稿読取部４において読み取られた原稿の画像データ、又はファクシミリ受信した画像データの画像を用紙に記録するものであり、カラー及びモノクロの双方の画像を用紙に記録する機構を備えたものである。この記録部１０における記録方式としては、例えば、電子写真方式を用いることができる。
【００１９】
ＲＡＭ１１は、制御部２の主メモリ、ワークエリア等として機能し、予め登録されたファクシミリ番号などの各種設定情報を記憶している。また、ＲＡＭ１１には、ファクシミリ送受信した画像データの通信に関する情報を格納するための通信管理テーブル１８が設けられている。
【００２０】
図２は、画像データをファクシミリ送受信した際に、その通信に関する情報が格納される通信管理テーブル１８ａ、１８ｂである。送信した画像データの通信に関する情報が格納される通信管理テーブル１８ａは、図示するように「番号」フィールド、「相手先名」フィールド、「モード」フィールド、「開始日時」フィールド、「時間」フィールド、「枚数」フィールド、「結果」フィールド、及び「備考」フィールドからなる。「番号」フィールドには、通信を行った時間順に付けられる番号が格納される。「相手先名」フィールドには、画像データを送信した相手先の名称や相手先装置のファクシミリ番号が格納される。「モード」フィールドには、送信した画像データの画質に関する情報が格納される。「開始日時」フィールドには、画像データの送信を開始した日時が格納される。「時間」フィールドには、相手先装置への画像データの送信を開始してから終了するまでの所要時間が格納される。「枚数」フィールドには、送信した画像データのページ数が格納される。「結果」フィールドには、通信結果が格納される。「備考」フィールドには、その他の情報が格納される。なお、一連の送信処理により複数の宛先に同一画像データを送信する、いわゆる同報送信を行った場合には、その旨の情報がこの「備考」フィールドに格納される。また、画像データをファクシミリ受信した場合にも、上記と同様の情報が通信管理テーブル１８ｂに格納される。
【００２１】
また、ＲＡＭ１１は、ファクシミリ通信にて送受信した画像データを所定の宛先に転送するか否かを送受信別に設定した転送設定情報１９を記憶する記憶手段として機能する。転送設定情報１９は、「送信原稿のみ」、「受信原稿のみ」、「送受信原稿両方」、「転送ＯＦＦ」のいずれかに対応する設定情報である。ここで、「送信原稿のみ」に対応する設定情報は、ファクシミリ受信した画像データの転送処理は行わず、ファクシミリ送信した画像データのみを所定の宛先に転送することを示す情報である。「受信原稿のみ」に対応する設定情報は、ファクシミリ送信した画像データの転送処理は行わず、ファクシミリ受信した画像データのみを所定の宛先に転送することを示す情報である。「送受信原稿両方」に対応する設定情報は、ファクシミリ送信した画像データとファクシミリ受信した画像データを共に所定の宛先に転送することを示す情報である。「転送ＯＦＦ」に対応する設定情報は、ファクシミリ送受信した画像データを転送しないことを示す情報である。
【００２２】
制御部２は、このＲＡＭ１１に記憶されている転送設定情報１９に基づいて画像データを所定の宛先に転送（ファクシミリ送信）する転送手段として機能する。なお、転送設定情報１９は、操作部７からの所定操作によりユーザが設定変更することができる。また、その際、「転送ＯＦＦ」以外に対応する転送設定が選択され画像データを所定の宛先に転送するように設定された場合には、併せて入力された転送先装置の宛先もこのＲＡＭ１１に記憶される。
【００２３】
さらに、ファクシミリ受信した画像データを転送する設定がなされた場合、すなわち操作部７から「受信原稿のみ」又は「送受信原稿両方」のどちらかに対応する転送設定情報１９が設定された場合には、操作部７からの設定操作に基づいて転送時間帯及び同時プリント設定情報がＲＡＭ１１に記憶される。ここで、転送時間帯は、受信した画像データを所定の宛先に転送する時間帯であり、この転送時間帯にファクシミリ受信した画像データは所定の宛先に転送され、その他の時間帯にファクシミリ受信した画像データは転送されないように制御部２によってその転送処理が制御される。なお、転送時間帯を設定せず、ファクシミリ受信した全ての画像データを所定の宛先に転送することも当然可能である。同時プリント設定情報は、「同時プリントＯＮ」又は「同時プリントＯＦＦ」のどちらかに対応する設定情報である。ここで、「同時プリントＯＮ」に対応する設定情報は、ファクシミリ受信した画像データを所定の宛先に転送する転送処理と同時に、自装置１においてその画像データの画像を用紙に記録する記録処理を行うことを示す情報である。「同時プリントＯＦＦ」に対応する設定情報は、記録処理を行わず転送処理のみを行うことを示す情報である。
【００２４】
以上説明した構成からなる通信装置１は、同報送信機能及びファクシミリ通信により送受信した画像データを所定の宛先（画像データ保存装置２０）に転送する機能を有するファクシミリ装置として動作する。一方で、この通信装置１からファクシミリ転送（送信）された画像データを受信して保存する画像データ保存装置２０は、一般的な機能を備えたＰＣ（Personal Computer）であり、例えばＲＳ２３２Ｃ等のインターフェースにより接続されたＦＡＸモデム２１を介してＰＳＴＮ１７に接続されている。なお、本発明の実施の形態では、画像データ保存装置２０は、ＰＣがＲＳ２３２ＣによってＦＡＸモデム２１に接続されてなるものであるが、ファクシミリ機能やコピー機能などを備える複合機で構成してもよい。
【００２５】
以下、通信装置１における転送設定情報１９等の設定変更の方法について説明する。図３は、ユーザが操作部７から転送設定情報１９の設定変更を行う場合に、液晶表示装置１３に表示される設定画面の一例を示したものである。操作部７からＲＡＭ１１に記憶されている転送設定情報１９を設定変更する旨の命令が入力された場合、制御部２は、まず図示するように、転送設定変更画面２５を液晶表示装置１３に表示させる。この転送設定変更画面２５には、ここでは転送設定の選択を促すメッセージ、選択可能な転送設定の一覧、転送設定を選択するための入力キーを示す選択ボタン２６、選択された転送設定を決定するための入力キーを示すセットボタン２７等を含む情報が表示される。
【００２６】
そして、この転送設定変更画面２５において、選択ボタン２６に対応する操作部７の操作キーにより「転送ＯＦＦ」が選択され、セットボタン２７に対応する操作部７の操作キーが操作された場合には、制御部２は「転送ＯＦＦ」に対応する転送設定情報１９をＲＡＭ１１に格納して設定変更のための処理を終了する。一方、「送信原稿のみ」、「受信原稿のみ」、又は「送受信原稿両方」のいずれかが決定された場合には、制御部２は、転送先指定画面２８を液晶表示装置１３に表示させる。この転送先指定画面２８には、ここでは画像データ保存装置２０（転送先装置）のファクシミリ番号（宛先）の入力を促すメッセージ、入力されたファクシミリ番号を決定するための入力キーを示すセットボタン２９等を含む情報が表示される。
【００２７】
ここで、操作部７のテンキー或いは短縮ダイヤル等により転送先である画像データ保存装置２０のファクシミリ番号が入力され、セットボタン２９に対応する操作部７の操作キーが操作されると、制御部２は、転送設定変更画面２５において、「送信原稿のみ」に対応する転送設定が決定された場合には、その転送設定情報１９と画像データ保存装置２０の宛先をＲＡＭ１１に格納して設定変更のための処理を終了する。一方、転送設定変更画面２５において、「受信原稿のみ」又は「送受信原稿両方」のどちらかが決定された場合には、転送時間帯指定画面３０を液晶表示装置１３に表示させる。この転送時間帯指定画面３０には、ここではファクシミリ受信した画像データを画像データ保存装置２０に転送する転送時間帯の指定を促すメッセージ、転送時間帯の指定を行うか否かを選択するための入力キーを示す選択ボタン３１、操作部７のテンキーにより入力された転送時間帯又は転送時間帯の指定をしないことを示す入力を決定するための入力キーを示すセットボタン３２等を含む情報が表示される。
【００２８】
ここで、操作部７のテンキーにより転送時間帯が入力され、又はファクシミリ受信した画像データを受信した時刻に関わらず全て画像データ保存装置２０に転送する「時間指定なし」が選択されてセットボタン３２に対応する操作キーが操作されると、制御部２は、同時プリント指定画面３３を液晶表示装置１３に表示させる。この同時プリント指定画面３３には、ここでは外部の装置からファクシミリ受信した画像データを画像データ保存装置２０に転送すると同時にその画像データの画像を記録部１０において用紙に記録するか否かの選択を促すメッセージ、選択可能な同時プリントの設定の一覧、同時プリントを行うか否かの設定を選択するための入力キーを示す選択ボタン３４、選択された同時プリントの設定を決定するための入力キーを示すセットボタン３５等を含む情報が表示される。
【００２９】
そして、この同時プリント指定画面３３において、選択ボタン３４に対応する操作キーが操作されて同時プリントの「ＯＮ」又は「ＯＦＦ」が選択され、セットボタン３５に対応する操作キーが操作された場合には、制御部２は、転送設定情報１９、転送先の宛先、転送時間帯、同時プリント設定情報をＲＡＭ１１に記憶させる。このようにしてＲＡＭ１１に記憶されている転送設定情報１９等の情報を操作部７からの所定操作により設定変更することが可能であり、制御部２はこれらの情報に基づいてファクシミリ送受信した画像データの転送処理を制御する。
【００３０】
以下、外部の装置に画像データをファクシミリ送信する場合に、通信装置１において行われる処理動作について、図４に示すフローチャートに基づいて説明する。なお、以下のフローチャートに基づいて説明する通信装置１の処理動作は、ＲＯＭ３に格納されている制御プログラムに基づいて制御部２が発行する命令に従って行われる。
【００３１】
制御部２は、ファクシミリ送信開始命令があったか否かを判断する（Ｓ１）。このファクシミリ送信開始命令は、原稿読取部４に原稿がセットされ、操作部７のテンキーなどにより宛先が指定され、スタートキーが押下されること等により入力される。ここで、制御部２は、ファクシミリ送信開始命令があったと判断した場合（Ｓ１：ＹＥＳ）、原稿読取部４は原稿の画像読取りを行い（Ｓ２）、制御部２は原稿読取部４により読取られた原稿の画像データを前記宛先にファクシミリ送信し、送信した画像データを画像メモリ６にそのまま格納しておく（Ｓ３）。具体的には、制御部２は、原稿読取部４に原稿の画像を読取らせ、その画像データをコーデック５において所定の符号化方式で符号化させた後、一旦画像メモリ６に格納する。そして、指定された宛先に発呼して画像メモリ６に格納した画像データをファクシミリ送信する。そして、送信が完了した後、送信した画像データを消去することなく、画像メモリ６の所定領域にそのまま格納しておく。
【００３２】
このようにして画像データのファクシミリ送信が完了すると、制御部２は、番号、相手先名、モード、開始日時等の送信した画像データの通信に関する情報を図２に示した通信管理テーブル１８ａに格納する（Ｓ４）。そして、制御部２は、ＲＡＭ１１の転送設定情報１９に基づいて、送信した画像データを転送すべき設定がなされているか否かを判断する（Ｓ５）。すなわち、「送信原稿のみ」又は「送受信原稿両方」のいずれかに対応する転送設定情報１９がＲＡＭ１１に記憶されているか否かを判断する。ここで、送信した画像データを転送すべき設定がなされていないと判断した場合は（Ｓ５：ＮＯ）、処理動作を完了し、送信した画像データを転送すべき設定がなされていると判断した場合には（Ｓ５：ＹＥＳ）、Ｓ３で送信した画像データの通信に関する情報を通信管理テーブル１８ａから抽出する（Ｓ６）。
【００３３】
そして、制御部２は、通信管理テーブル１８ａから抽出した通信に関する情報に基づいて、Ｓ３でファクシミリ送信した画像データが同報送信されたものであるか否かを判断する（Ｓ７）。すなわち、転送設定情報１９が、送信した画像データを画像データ保存装置２０（所定の宛先）に転送すべき設定であるときに画像データを同報送信したか否かを判断する。ここで、Ｓ３でファクシミリ送信した画像データが同報送信されたものではなく、１つの宛先に送信されたものであると判断した場合には（Ｓ７：ＮＯ）、ＲＡＭ１１から画像データ保存装置２０の宛先を読み出して該宛先に発呼し、画像メモリ６に格納されている送信した画像データを画像データ保存装置２０に転送する（Ｓ８）。
【００３４】
一方、制御部（同報先一覧画像作成手段）２は、Ｓ３でファクシミリ送信した画像データが同報送信されたものであると判断した場合（Ｓ７：ＹＥＳ）、すなわち転送設定情報１９が、送信した画像データを画像データ保存装置２０に転送すべき設定であるときに画像データを同報送信した場合、Ｓ６で通信管理テーブル１８ａから抽出した通信に関する情報に基づいて、同報送信についての通信に関する情報を同報先毎に示す同報先一覧の画像データを作成する（Ｓ９）。図５は、その同報先一覧の画像データの一例を示したものである。図示するように、同報先一覧の画像データには、通信管理テーブル１８ａにおける番号、同報送信した相手先名又は相手先装置のファクシミリ番号、通信開始時刻、相手先装置へ画像データの送信を開始してから終了するまでに要した時間、及び通信結果の同報送信についての通信に関する情報が同報先毎に示されている。なお、モードや枚数等の他の通信に関する情報を示してもよい。制御部２は、このような同報先一覧の画像データを作成した後、ＲＡＭ１１から画像データ保存装置２０の宛先を読み出して該宛先に発呼し、画像メモリ６に格納されている送信した画像データと共に作成した同報先一覧の画像データを画像データ保存装置２０に転送する（Ｓ１０）。
【００３５】
以上説明したように、通信装置１は、複数の宛先に原稿の画像データを同報送信した場合に、その同報先毎の通信に関する情報を示した同報先一覧の画像データを作成して送信済みの画像データと共に画像データ保存装置２０に転送する。したがって、ユーザは通信装置１が同報送信した画像データに対応する同報先一覧の画像データを例えば画像データ保存装置２０のモニタに表示させることにより、同報送信した複数の宛先、同報先毎の通信開始時刻等の同報先毎の通信に関する情報を容易に確認することができる。
【００３６】
以下、外部の装置から画像データをファクシミリ受信した場合に、通信装置１において行われる処理動作について、図６に示すフローチャートに基づいて説明する。制御部２は、外部の装置から画像データをファクシミリ受信したか否かを判断し（Ｓ１１）、画像データをファクシミリ受信したと判断した場合には（Ｓ１１：ＹＥＳ）、受信した画像データを画像メモリ６に格納し、その通信に関する情報を通信管理テーブル１８ｂに格納する（Ｓ１２）。そして、受信した画像データを転送すべき設定がなされているか否かをＲＡＭ１１の転送設定情報１９に基づいて判断する（Ｓ１３）。すなわち、「受信原稿のみ」又は「送受信原稿両方」のいずれかに対応する転送設定情報１９がＲＡＭ１１に記憶されているか否かを判断する。ここで、受信した画像データを転送するよう設定されていないと判断した場合（Ｓ１３：ＮＯ）、受信した画像データをコーデック５において復号し、その画像を記録部１０において用紙に記録する（Ｓ１４）。
【００３７】
一方、制御部２は、受信した画像データを転送するよう設定されていると判断した場合には（Ｓ１３：ＹＥＳ）、Ｓ１２で画像メモリ６に格納した画像データの通信に関する情報を通信管理テーブル１８ｂから抽出し（Ｓ１５）、ＲＡＭ１１の設定情報に基づいて転送時間帯が設定されているか否かを判断する（Ｓ１６）。ここで、転送時間帯が設定されていると判断した場合（Ｓ１６：ＹＥＳ）、画像メモリ６の画像データが転送時間帯に受信したものであるか否かをＳ１５で抽出した通信に関する情報の開始日時から判断し（Ｓ１７）、転送時間帯に受信したものではないと判断した場合には（Ｓ１７：ＮＯ）、Ｓ１４の処理を行う。なお、このＳ１７において、開始日時に代えて現在の時刻が転送時間帯であるか否かを判断するようにしてもよい。
【００３８】
制御部２は、転送時間帯の設定がなされていないと判断した場合（Ｓ１６：ＮＯ）、及び画像メモリ６の画像データが転送時間帯に外部の装置からファクシミリ受信した画像データであると判断した場合（Ｓ１７：ＹＥＳ）、画像メモリ６の（受信）画像データを画像データ保存装置２０に転送する画像データのヘッダ部に転送時刻及び通信番号を記載し（Ｓ１８）、その画像データを画像データ保存装置２０に転送する（Ｓ１９）。図７は、ヘッダ部に転送時刻及び通信番号が記載された画像データの一例を示したものである。ここでは、該画像データが通信装置１から画像データ保存装置２０に転送する画像データであることを示す「転送」の文字、通信番号、受信した画像データの相手先の名称、転送時刻、及びページ番号が画像データ保存装置２０に転送する画像データのヘッダ部に記載されている。なお、転送時刻は、制御部２がファクシミリ受信した画像データを画像データ保存装置２０に転送する時刻、すなわちＳ１９の処理を開始した時刻であり、通信番号は、画像データをファクシミリ受信した際に付けた通信管理テーブル１８ｂにおける番号である。
【００３９】
そして、制御部２は、同時プリントすべき設定がなされているか否かをＲＡＭ１１の同時プリント設定情報に基づいて判断し（Ｓ２０）、同時プリントすべき設定がなされていると判断した場合には（Ｓ２０：ＹＥＳ）、Ｓ１４と同様に受信した画像データの画像を用紙に記録する（Ｓ２１）。
【００４０】
以上説明したように、通信装置１はファクシミリ通信により受信した画像データを画像データ保存装置２０に転送する場合には、その原稿のヘッダ部に転送時刻と通信番号を記載して転送する。したがって、ユーザは画像データ保存装置２０に転送された通信装置１の受信原稿のヘッダ部を見て、通信管理テーブル１８ｂの情報を容易に確認することができる。なお、複数の通信装置１から画像データ保存装置２０に画像データを転送する場合には、通信番号に加えて例えば発信元名（通信装置１の名称）を記載して転送する。これにより、複数の通信装置１から転送された画像データを画像データ保存装置２０において容易に管理することができる。
【００４１】
また、上記のファクシミリ送信した画像データ又はファクシミリ受信した画像データに対して行われる転送処理は、ファクシミリ通信により送受信した全ての画像データに対して行われるわけではなく、ユーザによって操作部７から設定された転送設定情報１９等の設定情報に基づいて行われる。よって、例えばファクシミリ送信した画像データの原稿は手元にあるため、ファクシミリ受信した画像データのみを画像データ保存装置２０に転送させるというように、ユーザの希望に応じた画像データの転送処理を行うことが可能である。
【産業上の利用可能性】
【００４２】
ファクシミリ通信により送受信した画像データを所定の宛先に転送する通信装置に適用することが可能である。
【図面の簡単な説明】
【００４３】
【図１】本発明の実施の形態に係る通信装置の構成を示したブロック図である。
【図２】ファクシミリ通信にて送受信した画像データの通信に関する情報が格納される通信管理テーブルを示した図である。
【図３】転送設定情報等の設定変更を行う場合に、液晶表示装置に表示される設定画面の一例を示した図である。
【図４】読取った原稿の画像データをファクシミリ送信する場合に、通信装置において行われる処理動作を示したフローチャートを示した図である。
【図５】複数の宛先に同報送信した画像データを画像データ保存装置に転送する場合に、送信済み画像データと共に転送される同報先一覧の画像データの一例を示した図である。
【図６】外部の装置から画像データをファクシミリ受信した場合に、通信装置において行われる処理動作を示した図である。
【図７】ファクシミリ受信した画像データを所定の宛先に転送する際に、ヘッダ部に転送時刻及び通信番号が記載された所定の宛先に転送する画像データの一例を示した図である。
【符号の説明】
【００４４】
１    通信装置
２    制御部（ＭＰＵ）
３    ＲＯＭ
７    操作部
９    通信部
１１    ＲＡＭ
１３    液晶表示装置
１５    モデム
１６    ＮＣＵ
１７    ＰＳＴＮ
１８    通信管理テーブル
１９    転送設定情報
２０    画像データ保存装置
【図１】
2005184721.tif 000003
【図２】
2005184721.tif 000004
【図３】
2005184721.tif 000005
【図４】
2005184721.tif 000006
【図５】
2005184721.tif 000007
【図６】
2005184721.tif 000008
【図７】
2005184721.tif 000009